(57)【要約】【課題】大きな冷蔵設備を必要とせずにロゼット化を防止することができ、かつ開花の異常や発芽率の低下等の問題が少なく管理のための労力負担もより軽減できるユーストマの生産方法を提供する。【解決手段】ユーストマの種子、前記種子との分離が可能な粒径を有する粒子からなり保水性を有する担体、及び水を混合する混合工程、及び、前記混合工程で得られた混合物をロゼット防止効果を示す温度で保管する種子冷工程、を有し、前記種子冷工程により得られた種子を、播種、育苗、定植、栽培して開花させることを特徴とするユーストマの生産方法。【選択図】図１
2017035071.tif 000002
【特許請求の範囲】
【請求項１】
ユーストマの種子、前記種子との分離が可能な粒径を有する粒子からなり保水性を有する担体、及び水を混合する混合工程、及び
前記混合工程で得られた混合物をロゼット防止効果を示す温度で保管する種子冷工程、を有し
前記種子冷工程により得られた種子を、播種、育苗、定植、栽培して開花させることを特徴とするユーストマの生産方法。
【請求項２】
前記ロゼット防止効果を示す温度が、１〜１５℃の範囲内の温度であることを特徴とする請求項１に記載のユーストマの生産方法。
【請求項３】
前記種子冷工程後、播種前に、前記種子と前記担体を分離し、分離された種子に無機物をコートしてコート種子を得る工程をさらに有ることを特徴とする請求項１又は請求項２に記載のユーストマの生産方法。
【請求項４】
前記ユーストマの種子が、コート種子であり、前記種子冷工程後、播種前に、前記種子と前記担体を分離することを特徴とする請求項１又は請求項２に記載のユーストマの生産方法。
【請求項５】
前記担体が、前記ユーストマの種子より粒径が小さい粒子からなることを特徴とする請求項１ないし請求項４のいずれか１項に記載のユーストマの生産方法。
【請求項６】
前記担体が、けいそう土又はアルミナであることを特徴とする請求項１ないし請求項５のいずれか１項に記載のユーストマの生産方法。
【請求項７】
前記混合物中に、殺菌剤を含有させることを特徴とする請求項１ないし請求項６のいずれか１項に記載のユーストマの生産方法。
【発明の詳細な説明】
【技術分野】
【０００１】
本発明は、ユーストマを栽培し生産する方法に関する。具体的には、夏期の育苗であっても定植後のロゼット化防止を図ることができ、低い生産コストでユーストマを栽培することができるユーストマの生産方法に関する。
【背景技術】
【０００２】
ユーストマは、トルコギキョウとも言われ、品種や花色が豊富であり、冠婚葬祭やアレンジメント等に人気がある洋花である。ユーストマは、自然の条件下では、秋期に播種されて翌春以後に開花する越年性植物であるが、冬期、特に迎春時期の需要が多いため、秋から冬にかけて開花させる促成栽培（秋冬出し栽培）が広く行われている。
【０００３】
しかし、秋冬出し栽培では育苗は夏に行われるが、高温期での育苗では、ロゼット化や早期抽苔等が起こりやすくなる。ロゼット化や抽苔が起こると花としての商品価値が大きく低下し生産上の問題となる。特に近年は、地球の温暖化等によりロゼット化の問題が顕著になっている。そこで、ユーストマのロゼット化の防止方法が種々提案されている。
【０００４】
特許文献１には、播種の時期を、ロゼット化しない苗が得られる時期（夏期以前）まで早めるとともに、生育した苗が未ロゼット化の状態で、０℃を超え８℃以下の範囲に設定して低温処理を施して定植時期を迎え、定植により成長させて当該年内の冬期または翌年の初春までに開花させるトルコギキョウの促成栽培方法が開示されている。この方法により定植後のロゼット化を軽減することができる。
【０００５】
又、播種直後に高温処理等によりロゼット化した苗を意図的に作り、その後低温処理を施してロゼットを解除（ロゼット打破）する方法も知られている。例えば、播種を６月ごろに行い７月ごろにロゼット化した苗を得、そのロゼット化した苗を９月ごろまで１０〜１２℃の低温に保持してロゼット打破をした後、ビニールハウスや温室で定植，生育させて冬期の開花を迎える方法が知られている。しかし、この方法では、完全にロゼット化していない苗が混入していた場合、処理中に抽苔が開始し、苗の品質が低下するとの問題がある。
【０００６】
さらに、前記の方法は、生育した苗に低温処理を施すために膨大な冷蔵設備が必要になり、かつ、ロゼット化した苗を低温に保持する期間中、常に潅水が必要になる、病気が発生しやすい等、管理のための労力負担が増える問題もある。
【０００７】
そこで、生育した苗の代わりに、種子を冷やすこと（種子冷処理）により、ロゼット化を防止する方法も実用化されている。例えば、コート種子をプラグトレーに播種した後、該プラグトレーを冷蔵庫に入れ、１０℃程度で３０日間（標準）種子冷処理を行う方法が挙げられる。種子冷処理したプラグトレーを冷蔵庫から取出した後、約４０日間夜冷育苗し、圃場に定植し、その後約７０〜９０日間栽培すると開花するが、この方法によりロゼット化を防止することができる。
【先行技術文献】
【特許文献】
【０００８】
【特許文献１】特開平９−１９１７６１号公報
【発明の概要】
【発明が解決しようとする課題】
【０００９】
しかし、この方法でも、種子冷処理は、コート種子をプラグトレーに播種した状態で行われるので大型の冷蔵庫を必要とする。又、種子冷中の水分管理や病気発生防止のための管理が必要になるので、労力負担の軽減も不十分であった。そこで、より小さい設備で、ロゼット化を防止することができ、かつ管理のための労力負担もより軽減できる方法の開発が望まれていた。
【００１０】
本発明は、大きな冷蔵設備を必要とせずにロゼット化を防止することができ、かつ開花の異常や発芽率の低下等の問題がなく管理も容易で労力負担もより軽減できるユーストマの栽培方法を提供することを課題とする。
【課題を解決するための手段】
【００１１】
本発明者は検討の結果、ユーストマの種子を、保水性を有する担体及び水と混合した後種子冷を行う方法により、夏の高温期に育苗する場合でもロゼット化を防止することができること、そして、大きな冷蔵設備を必要とせず、かつ種子冷の管理も容易であり、さらに開花の異常や発芽率の低下等の問題が少ないことを見出し、本発明を完成した。
【００１２】
本発明は、
ユーストマの種子、前記種子との分離が可能な粒径を有する粒子からなり保水性を有する担体、及び水を混合する混合工程、及び
前記混合工程で得られた混合物をロゼット防止効果を示す温度で保管する種子冷工程、を有し
前記種子冷工程により得られた種子を、播種、育苗、定植、栽培して開花させることを特徴とするユーストマの生産方法である。
【００１３】
本発明は、また、前記ユーストマの生産方法の好ましい態様（以下「第１の態様」とする）であって、
前記種子冷工程後、前記播種前に、前記種子と前記担体を分離し、分離された種子に無機物をコートしてコート種子を得る工程をさらに有することを特徴とするユーストマの生産方法を提供する。
【００１４】
本発明は、さらに、前記ユーストマの生産方法の好ましい態様（以下「第２の態様」とする）であって、前記ユーストマの種子が、コート種子であることを特徴とするユーストマの生産方法を提供する。
【００１５】
本発明は、さらに又、前記のユーストマの生産方法の好ましい態様として、以下に示すユーストマの生産方法が提供される。
【００１６】
前記担体が、前記種子より粒径が小さい粒子からなることを特徴とする前記本発明のユーストマの生産方法。
【００１７】
前記担体が、けいそう土又はアルミナであることを特徴とする前記本発明のユーストマの生産方法。
【００１８】
前記混合物中に、殺菌剤を含有させることを特徴とする前記本発明のユーストマの生産方法。
【発明の効果】
【００１９】
種子の体積は小さく、裸種子の場合は、約２５，０００〜３５，０００粒／ｇが一般的である。コート種子の体積は、その粒径により変動するが、粒径が１．５ｍｍφ程度の場合は約５００〜１０００粒／ｇである。種子の体積が小さいので、種子と担体及び水を混合した混合物もその体積は小さい。本発明の方法では、この小さい体積の混合物について種子冷が行われるので、小さい冷蔵庫、例えば家庭用として市販されている安価な冷蔵庫で種子冷ができる。従来の方法では、種子冷は、コート種子をプラグトレーに播種した後、該プラグトレーを冷蔵庫に入れて行われるので大型の冷蔵庫が必要であったが、本発明の方法では、プラグトレーを入れる大型の冷蔵庫の設置が不要になる。
【００２０】
又、本発明の方法によれば種子冷における水分管理等も容易であるので、労力負担も低減することができる。そして、開花の時期や苗の丈、花形等の異常や発芽率の低下等の問題がない。
【００２１】
すなわち、
夏の高温期に育苗する場合（秋出し栽培）でもロゼット化を防止することができる、
大きな冷蔵設備を必要とせずに、かつ種子冷等の管理のための労力負担も軽減できるので、生産コストを大きく低減することができる、
開花の異常や発芽率の低下等の問題が少ない、
との優れたユーストマの生産方法が提供される。
【図面の簡単な説明】
【００２２】
【図１】実施例３の結果を示す写真である。
【図２】比較例２の結果を示す写真である。
【図３】実施例４の結果を示す写真である。
【図４】比較例３の結果を示す写真である。
【発明を実施するための形態】
【００２３】
次に、本発明を実施するための形態を具体的に説明する。なお、本発明は下記の形態及び後述の実施例に限定されるものではなく、特許請求の範囲内及び特許請求の範囲と均等の範囲内での全ての変更が含まれる。
【００２４】
本発明の第一の態様は、前記ユーストマの生産方法の好ましい態様の一つであり、
ユーストマの種子、前記種子との分離が可能な粒径を有する粒子からなり保水性を有する担体、及び水を混合する混合工程、及び
得られた混合物をロゼット防止効果を示す温度で保管する種子冷工程、を有し
前記種子冷工程後、前記種子と前記担体を分離し、
分離された種子に無機物をコートしてコート種子を得、
得られたコート種子を、播種、育苗、定植、栽培して開花させる
ことを特徴とするユーストマの生産方法である。
【００２５】
本発明の第２の態様は、前記ユーストマの生産方法の好ましい態様の一つであり、
ユーストマの種子、前記種子との分離が可能な粒径を有する粒子からなり保水性を有する担体、及び水を混合する混合工程、及び
得られた混合物を、ロゼット防止効果を示す温度で保管する種子冷工程、を有し
前記ユーストマの種子は、コート種子であり、
前記種子冷工程後、前記種子と前記担体を分離し、
分離された種子を、播種、育苗、定植、栽培して開花させる
ことを特徴とするユーストマの生産方法である。
【００２６】
以下、本発明で使用されるユーストマの種子、担体、水分及び必要により使用される他の成分、並びに、本発明の各工程について説明する。
【００２７】
１．ユーストマの種子
一方に限定する記載がない限り、「ユーストマの種子」には、裸種子及びコート種子のいずれもが含まれる。ここで裸種子とは、コートがされていない種子を意味する。プライミング等の前処理をした種子や、殺菌剤等の薬剤を含む水溶性ポリマー、例えばＰＶＡ（ポリビニルアルコール）、ＭＣ（メチルセルロース）、ＣＭＣ（カルボキシメチルセルロース）、ＨＥＣ（ヒドロキシエチルセルロース）によるコートがされている種子も裸種子に含まれる。
【００２８】
コート種子とは、無機物を主体とした被覆材によるコートがされている種子を意味し、ペレット種子とも呼ばれている。無機物を主体とした被覆材は、無機物をその最大の含量の成分とするが、バインダー等の他の成分を本発明の趣旨を損ねない範囲で含んでいてもよい。第一の態様では、ユーストマの種子としては、通常、裸種子が用いられる。第２の態様では、ユーストマの種子としては、コート種子が用いられる。
【００２９】
２．担体
（担体の粒径）
担体としては、ユーストマの種子等との混合物から、篩分けによる分離が可能な粒径を有する粒子からなる粉状又は粒状のものを用いることができる。担体は、種子冷工程後、篩分けによりユーストマの種子と分離されるが、充分に分離可能にするためには、担体を構成する粒子は、種子の粒径分布の下限（種子の最小径）より小さい粒径の粒子からなること、又は、種子の粒径分布の上限（種子の最大径）より大きい粒径の粒子からなることが望まれる。
【００３０】
すなわち、「混合物から篩分けによる分離が可能な粒径を有する粒子」とは、ユーストマの種子の最小径より小さい粒径を有する粒子、又は（／及び）、種子の最大径より大きい粒径を有する粒子のみからなる粒子、又はユーストマの種子の最小径より小さい粒径を有する粒子、又は（／及び）、種子の最大径より大きい粒径を有する粒子を主体とする粒子を意味する。このような粒径の粒子からなる担体であって、凝集等の問題を起こさないものを用いることにより、篩分けによる種子との充分な分離が可能となり（優れた取出し性が得られ）、篩分け後の種子に担体がほとんど混入しないようになる。
【００３１】
なお、「主体とする」とは、実質的に、種子の最小径より小さい粒径の粒子、又は（／及び）、種子の最大径より大きい粒径の粒子のみからなるが、本発明の趣旨を損ねない範囲で他の粒子を含んでいてもよいことを意味する。例えば、第一の態様の場合は、篩分けによる分離後の種子にコートがされるので、篩分け後のユーストマの種子中に含まれる担体が多いと種子のコートが阻害されることがあるが、このような問題を生じない範囲であれば、他の粒子を含んでいてもよい。
【００３２】
前記担体の中では、ユーストマの種子より小さい粒径の粒子からなる担体、すなわち、種子の最小径より小さい粒径の粒子のみからなる担体、又は種子の最小径より小さい粒径の粒子を主体とする担体は、担体の使用量が比較的少なくてよい、混合物中の水分量を減らすことができる、発芽率の低下を抑制できる、混合物中の分散性がよい、等の利点を有するので好ましい。
【００３３】
通常、裸種子の最小径は２５０μｍ程度であるので、ユーストマの種子が裸種子の場合（第一の態様）、担体は２５０μｍ未満の粒径の粒子を主体とすることが好ましい。２５０μｍ以上の粒径の粒子が含まれると、篩分け後の種子に担体が混入し、種子コート等の作業がしにくくなる場合もあるので、２５０μｍ以上の粒径の粒子は可能な限り少ないことが望ましく、含まないことが好ましい。篩分けによる種子と担体の分離をより確実に行うためには、ユーストマの種子が裸種子の場合、担体の粒径は１００μｍ以下がより好ましく、さらに好ましくは５０μｍ以下である。
【００３４】
ユーストマの種子がコート種子の場合（第２の態様）も、コート種子の最小径よりも小さい粒径の粒子を主体とする担体が好ましい。コート種子としては、種々の粒径のものがあるが、一般的には１〜２ｍｍφの範囲の粒径を有する。１〜２ｍｍφの範囲の粒径を有するコート種子の場合、１ｍｍφ未満の粒径の粒子を主体とする担体を用いることができるが、担体の粒径が大きすぎると、保水性やロゼット防止効果が低下するので、１００μｍ以下の粒径の担体がより好ましく、さらに好ましくは５０μｍ以下である。
【００３５】
種子の最小径より小さい粒径の粒子からなる担体を用いる場合、担体の粒子の最小粒径は特に限定されないが、粒径が小さいと粉立ちが生じ易くなり作業性等が低下することがある。又担体の種類によっては、小粒子と水が混ざると凝集して団子状となり篩分けがかえって困難となる場合がある。そこで、このような問題が生じない範囲が望ましい。通常、１μｍ以上の粒径の粒子がより好ましく、特に好ましくは５μｍ以上の粒径の粒子である。すなわち、ユーストマの種子が裸種子の場合もコート種子の場合も、担体の粒子の粒径は、１μｍ以上、１００μｍ以下の範囲がより好ましく、特に好ましくは５μｍ以上、５０μｍ以下の範囲である。
【００３６】
（保水性）
担体は、水分と混合されて水を吸収し、吸収された水分を種子に付与する作用をするので、吸水性を有しその内部や周囲に自由水を保持することができ、種子冷工程中常に適度な水分を種子に付与することができる性質、すなわち保水性を有するものが用いられる。従って、例えば、水を吸う性質を有する無機物の粉体や粒体（無機物担体）が用いられる。
【００３７】
担体は、水に不溶なものであるが、担体の粒子間が水分等により粘着し造粒（２次凝集）して種子との簡単な分離が妨げられることがないように、担体の粒子は粘着性がないものが適当である。
【００３８】
（混合量）
担体の使用量（混合量）は、裸種子の場合もコート種子の場合も、種子の質量の１〜５００質量倍である。より好ましくは、種子の１０〜１００質量倍である。ここでコート種子の場合の種子の質量とは、コート種子中に含まれるコートがされる前の種子の質量を意味する。担体を使わずに種子に水分を加えて種子冷を行った場合は、発芽率が極端に低下する。又、担体の使用量が少なすぎると、種子冷の効果が得られずロゼット化が生じやすくなる。又、混合における作業性が低下する。一方、担体の使用量が種子の量に比較して多すぎると、混合における作業性が低下し、分散させにくくなる。又、篩分けにより種子と分離する際の作業性も低下し、取出しにくくなる。
【００３９】
（担体の例）
前記担体には、篩分けによる種子との分離が可能な粒径を有する粒子からなること、保水性を有することの他に、種子と混合したとき種子を分散させることができること、混合後篩分けにより種子との分離が容易であること（粘着性等により分離が妨げられることがないこと）、が求められる。これらの要求を充たすものであれば、担体の種類は特に限定されないが、後述の焼成等を行うことができる点で、無機物担体が好ましい。
【００４０】
無機物担体としては、けいそう土、アルミナ、シリカゲル、クレー等を挙げることができる。中でも、けいそう土、アルミナは、優れた分散性（担体に種子を混合するときの分散が容易であること）や優れた取出し性（二次凝集等がなく、篩分けによる担体と種子の分離が容易であること）を示すので、特に好ましい。担体は、１種の担体からなるものであってもよいが、２種以上の担体の混合物であってもよい。
【００４１】
（担体の焼成・無菌化）
無機物担体の場合は、焼成を施し担体を無菌化することが好ましい。焼成等により無菌化することにより、種子冷中のカビの発生等を抑制できる。又焼成すると、担体のかさ密度が大きくなり、保水性が増大し、担体中に含まれる酸素量が増して発芽率の向上に寄与する。
【００４２】
３．水分
種子及び担体の混合物にはさらに水が含有される。水としては、水道水、交換水、蒸留水等が挙げられるが、本発明の趣旨を損ねるような水（例えば、雑菌等を含む水）でない限り、ごく少量の不純物等を溶解する水も用いることができ、特に制限はない。
水分の含有量は、裸種子の場合もコート種子の場合も、前記担体の０．０１質量倍以上が好ましい。より好ましくは、担体の０．０５質量倍以上、１．０質量倍以下の範囲である。水の含有量が少なすぎる場合は、種子冷効果、すなわちロゼット化防止等の効果が得られにくくなる。一方、水の含有量が多すぎる場合は、種子冷工程後の種子及び担体の分離が困難になる。又、水の含有量が多すぎる場合は発芽率が低下する。
【００４３】
４．他の成分、殺菌剤等
種子、担体、及び水からなる混合物には、さらに発明の趣旨を損ねない範囲、すなわち種子に適度な水分を与える保水性等を損なわず、種子の担体等からの分離が容易で、開花の異常等の問題を生じない範囲で、他の成分を併用することができる。例えば、殺菌剤、栄養剤及びホルモン剤から選ばれる１以上を併用することができる。特に、殺菌剤を併用することにより、種子のカビの発生を抑制することができ、発芽率を向上させることができるので好ましい。
【００４４】
５．混合工程
種子、担体、及び水の混合は、同様な混合工程に用いられている公知の方法、手段、装置等を使用して行うことができる。混合工程の条件も、公知の方法と同様な条件を採用することができる。裸種子の場合、混合の順序は特に限定されないが、種子と担体を混合した後、所定量の水を添加してさらに混合する方法が好ましい場合が多い。コート種子の場合は、種子に水を加えると種子のコートが壊れることがあるので、担体に水を加え混合した後、通常、種子を加えて混合する順序が好ましい。家庭用の小型プラスチック製密閉容器（所謂タッパウエア）やプラスチック製の小型袋等の小型容器を使用する場合は、当該小型容器に、所定量の種子、担体及び水を加え、容器を振盪させることにより混合することができ、この場合は、加える順序は特に限定されない。
【００４５】
６．種子冷工程
前記のように作製された種子、担体及び水等の混合物は、ロゼット防止効果を示す温度で保管されて種子冷が行われる。種子冷の温度がロゼット防止効果を示す温度よりも高すぎる場合も低すぎる場合も、充分なロゼット防止効果が得られない。ロゼット防止効果を示す温度は、ほとんどの品種の場合は、１〜１５℃の範囲内であり、通常は、７℃以上、１２℃以下が好ましく、特に好ましくは９℃以上、１１℃以下である。しかし、種子の品種や担体の種類等により好ましい範囲は、変動するので、予め小規模の予備実験を行い、最適な種子冷温度を把握しておくことが好ましい。
【００４６】
種子冷の期間（低温での保管期間）の好ましい範囲は、ユーストマの品種により変動するが、通常は、３０〜５０日間が好ましく、より好ましくは３５〜４５日間である。なお、混合する水の量や、種子冷の期間、温度を最適なものとするために、予め小規模の予備実験を行い、この結果により前記条件を選択することが好ましい。
【００４７】
種子冷は、前記混合物を冷蔵庫に保管することにより行うことができる。具体的には、例えば、家庭用の小型プラスチック製密閉容器、ポリエチレン等のプラスチックの袋等の小型容器に前記混合物を入れ、当該容器を冷蔵庫に保管して行うことができる。前記小型容器としては、酸素を通し水分を通さない材料から形成されているものが好ましい。前記混合物は、小さな体積とし小分けすることができるので、前記冷蔵庫としては安価な家庭用冷蔵庫を使用することができ、従来方法と比べて生産コストを大幅に低減することができる。
【００４８】
蒸発による水分の減少を補うため、種子冷中に、適宜、混合物に水分を添加することが好ましい。又、混合物中の位置による水分等の偏在を防ぐため、種子冷中は、混合物を、適当な期間毎に混合（撹拌、容器の振盪等）することが好ましい。しかし、特許文献１に記載の方法において種子冷中の水分管理や病気発生防止のために必要となる管理と比べ、本発明では、水分の添加や撹拌の頻度を抑制することができ、種子冷の管理のための労力負担を大きく軽減することができる。
【００４９】
７．分離工程
種子冷工程後、種子と担体が分離される。分離は、篩を用いて行うことができる。分離された担体から水分を除去することにより、例えば無機物担体の場合は焼成を施すことにより、再度（翌年等）本発明の方法に使用することができる。
【００５０】
８．種子コート
（１）第一の態様の場合、分離された種子は、その後無機物の被覆（種子コート）がされて、コート種子が作製される。種子コートの方法、条件、使用される材料や装置等は、従来の種子の種子コートの場合と同様である。例えば、特開昭５８−１８７４８号公報、特開昭６１−５００１０１号公報に記載の方法によりコート種子を作製できる。
（２）第２の態様の場合、コート種子を使用して混合工程が行われるので、分離工程後の種子コートは、通常行われない。（混合工程前に、裸種子に予め無機物等による種子コートの工程を有するとの解釈も可能である。）第２の態様によれば、分離工程後の種子コートが不要なので、ユーストマの生産者は、種子コートのための設備を備える必要がなく、又種子コートのための技術を要しない。コート種子としては、市販の安価なコート種子を使用することができるので、ユーストマの生産コストを低減することができる。
【００５１】
９．播種、育苗、定植、栽培
上記の工程の後、コート種子の播種の作業が行われる。第２の態様の場合は、種子コートの工程を省くことができ、次の工程である播種の作業に入ることができる。播種された後、育苗、定植、栽培し、開花してユーストマが得られる。播種、育苗、定植、栽培の方法、条件、使用される装置等は、公知のユーストマの栽培の場合と同様である。なお、温暖地では、夜冷育苗が必要となる場合がある。
【実施例】
【００５２】
実施１（担体のスクリーニング）
家庭用の１００ｍｌのプラスチック製密閉容器に、ユーストマの裸種子（商品名：オホーツクの夏、平均粒径約３００μｍ）１ｇ、表１に記載の担体（網目２５０μｍの篩で篩った後）のそれぞれ２０ｇを入れ、さらに０．１質量％ベンレートＴ（殺菌剤）を含んだ水溶液（水分）を表２の水分添加量の欄に示す量（担体に対する質量％）を加えた後、該密閉容器を手に持ち、１分間激しく振盪した。
【００５３】
振盪後、混合状態を目視で判定し、以下に示す基準で、担体に種子を混ぜた時の分散の具合（分散性）を目視で評価し、その結果を表２に示した。
【００５４】
［分散性］
◎：粘着した部分が全く観察されない。
○：粘着した部分が少し見られる。
△：粘着した部分が多い。
×：粘着（二次凝集）して混合できていない。
【００５５】
振盪後の混合物を、網目２５０μｍの篩にて篩分けをして、種子を取り出した。このときの取出しやすさ（取出し性）を以下の基準にて判定し、その結果を表２に示す。
［取出し性］
良    ：種子と担体が容易に分離でき、種子中に担体は観察されない。
やや否：種子と担体は分離されるが、種子中に担体が含まれていることが観察される。
否    ：種子と担体が粘着して分離しない。
【００５６】
【表１】
2017035071.tif 000003
【００５７】
【表２】
2017035071.tif 000004
【００５８】
表２の結果は、分散性、取出し性の観点からは、担体としては、けいそう土、アルミナが好ましく、特にけいそう土が好ましいことを示している。
【００５９】
実施例２
市販の１００ｍｌのポリエチレン袋に、ユーストマの裸種子（商品名：オホーツクの夏、平均粒径約３００μｍ、発芽率１００％）１ｇ、表１に記載のけいそう土又はアルミナ（網目２５０μｍの篩で振った後）の２０ｇを入れ、さらに０．１質量％ベンレートＴ（殺菌剤）を含んだ水溶液（水分）を２ｇ、４ｇ又は６ｇ（水分添加量は、担体に対してそれぞれ１０質量％、２０質量％又は３０質量％である）を加えた後、該ポリエチレン袋を閉じて１分間激しく振盪した。
【００６０】
振盪後のポリエチレン袋を家庭用の３５０Ｌの冷蔵庫に入れ、１０℃（湿度８０％）にて、３０日間保管（種子冷）した。保管中は７日間毎に該ポリエチレン袋の口を開けた後閉じて振盪した。保管後、ポリエチレン袋より混合物を取出し網目２５０μｍの篩にて篩分けをして、種子を分離した。
【００６１】
分離した種子を、公知の方法（特開昭５８−１８７４８号公報に記載の方法）により無機物によりコートし、平均粒径１．５ｍｍφのコート種子を作製した。得られたコート種子を、３０℃で２０時間熱風乾燥した。プラグトレーに播種した後、２１日育苗して発芽状態を確認し、発芽率（播種した種子中の発芽した割合）を調べた。その結果を表３に示す。
【００６２】
比較例１
市販の２０ｍｌのポリエチレン袋に、担体を入れず、ユーストマの裸種子（商品名：オホーツクの夏、平均粒径約３００μｍ、発芽率１００％）１ｇ、及び０、１質量％ベンレートＴ（殺菌剤）を含んだ水溶液（水分）をそれぞれ０．５ｇ、０．７５ｇ、１．０ｇ加えた以外は、前記と同様にして、振盪、種子冷、篩分け、種子コートを行い、コート種子を作製した。得られたコート種子を、３０℃で２０時間熱風乾燥した。プラグトレーに播種した後、２１日育苗して発芽状態を確認し、発芽率を調べた。その結果を表３に示す。
【００６３】
【表３】
2017035071.tif 000005
【００６４】
実施例２及び比較例１の結果より、担体としてけいそう土、アルミナを用い、水分を加えて種子冷を行った場合、高い発芽率を得られることができるが、担体を使わずに種子に水分を加えて種子冷を行った場合は、発芽率が極端に低下することが示されている。
【００６５】
実施例３
市販の１００ｍｌのポリエチレン袋に、ユーストマの裸種子（商品名：オホーツクの夏、平均粒径約３００μｍ、発芽率１００％）１ｇ、表１に記載の、けいそう土２０ｇを入れ、さらに０．１質量％ベンレートＴ（殺菌剤）を含んだ水溶液（水分）を４ｇ（担体に対する水分添加量は２０質量％）加えた後、該ポリエチレン袋を閉じて１分間激しく振盪した。
【００６６】
振盪後のポリエチレン袋を家庭用の３５０Ｌの冷蔵庫に入れ、１０℃（湿度８０％）にて、３０日間保管（種子冷）した。保管中は７日間毎に該ポリエチレン袋の口を開けた後閉じて振盪した。保管後、ポリエチレン袋より混合物を取出し網目２５０μｍの篩にて篩分けをして、種子を分離した。
【００６７】
分離した種子を、実施例２と同じ方法によりコートし、平均粒径１．５ｍｍφのコート種子を作製した。得られたコート種子を、３０℃で２０時間熱風乾燥した。ビニールハウス内のプラグトレーに播種した（６月）後、昼間は２０〜２５℃、夜間は１４〜１６℃で４０日間育苗した。
【００６８】
育苗後の苗を圃場に定植した（８月）後、７０日間栽培した。栽培した株の写真を図１に示す。図１に示すようにロゼット化は見られなかった。又、開花率は９８％であった。
【００６９】
比較例２
実施例３と同様にして得られた、篩分け分離後の種子について、種子冷を行わず、実施例２と同じ方法によりコートし、平均粒径１．５ｍｍφのコート種子を作製した。その後は実施例３と同様にしてユーストマの栽培を行ったところ、ロゼット化が発生した。栽培した株の写真を図２に示す。開花率は４０％であった。
【００７０】
実施例３及び比較例２の結果より、担体を使わずに種子に水分を加えて種子冷を行った場合は、ロゼット化が生じやすくなり、開花率も低い。しかし、本発明の方法により、担体を使用し種子に水分を加えて種子冷を行えば、ロゼット化を防ぎ、高い開花率が得られることが示されている。
【００７１】
実施例４
市販の１００ｍｌのポリエチレン袋に、下記に示す商品名の市販品から選ばれるユーストマのコート種子（平均粒径１．５ｍｍφ）を１ｇおよび表１に記載のけいそう土を２０ｇ入れ、さらに０．１質量％ベンレートＴ（殺菌剤）を含んだ水溶液（水分）を６ｇ（担体に対する水分添加量は３０質量％）加えた後、該ポリエチレン袋を閉じて１分間激しく振盪した。
【００７２】
［ユーストマのコート種子］
・商品名：ウインテージマリン        （株式会社ミヨシ社品）
・商品名：モレットマリン            （株式会社ミヨシ社品）
・商品名：パープルフラミンゴ        （株式会社ミヨシ社品）
・商品名：ナイチンゲール            （株式会社ミヨシ社品）
・商品名：アンジュラベンダー        （株式会社ムラカミシード社品）
・商品名：セレモニーホワイト        （株式会社ムラカミシード社品）
・商品名：ファンシーラベンダーＥＬＴ（株式会社ムラカミシード社品）
【００７３】
振盪後のポリエチレン袋を家庭用の３５０Ｌの冷蔵庫に入れ、１０℃（湿度８０％）にて、３０日間保管（種子冷）した。保管中は７日間毎に該ポリエチレン袋の口を開けた後閉じて振盪した。保管後、ポリエチレン袋より混合物を取出し網目１０００μｍの篩にて篩分けをして、種子を分離した。
【００７４】
ウインテージマリン、モレットマリン、パープルフラミンゴ、ナイチンゲールについては、前記の種子の分離後、それぞれ２００個のコート種子を、ビニールハウス内のプラグトレーに播種した（６月）後、昼間は２０〜２５℃、夜間は１４〜１６℃で４０日間育苗して、発芽状態を確認し、発芽率（播種した種子中の発芽した割合）を調べた。その結果を表４に示す。さらに、育苗後、任意にそれぞれ１００の苗を選択し、ビニールハウス内の２．５寸ポットに定植した（８月）後、６０日間栽培して、目視でロゼット化率を調べた。その結果を表５に示す。なお、ロゼット化率とは、（ロゼット化した本数／定植した本数）×１００（％）である。
【００７５】
アンジュラベンダー、セレモニーホワイト、ファンシーラベンダーＥＬＴについては、４０日間の育苗を２０〜２５℃で行った以外は、前記のウインテージマリン等の場合と同様にして、発芽率及びロゼット化率を調べた。発芽率の結果を表４に、ロゼット化率の結果を表５に示す。又、セレモニーホワイトについて栽培した株の写真を図３に示す。
【００７６】
【表４】
2017035071.tif 000006
【００７７】
比較例３
上記商品名の市販品から選ばれるユーストマのコート種子（平均粒径１．５ｍｍφ）について、それぞれ２００個のコート種子を用いて、種子冷を行わない以外は、実施例４と同様にして、播種、育苗、栽培を行い、目視でロゼット化率を調べた。その結果を表５に示す。又、セレモニーホワイトについて栽培した株の写真を図４に示す。
【００７８】
【表５】
2017035071.tif 000007
【００７９】
実施例４及び比較例３の結果より、種子冷を行わない場合は、ロゼット化が生じやすくなるが、担体を使用して種子冷を行えば、ロゼット化を抑制できることが示されている。
【図１】
2017035071.tif 000008
【図２】
2017035071.tif 000009
【図３】
2017035071.tif 000010
【図４】
2017035071.tif 000011
【手続補正書】
【提出日】平成28年10月12日(2016.10.12)
【手続補正１】
【補正対象書類名】特許請求の範囲
【補正対象項目名】請求項１
【補正方法】変更
【補正の内容】
【請求項１】
ユーストマの種子、前記種子との分離が可能な粒径を有する粒子からなり保水性を有する担体、及び水を混合する混合工程、及び
前記混合工程で得られた混合物をロゼット防止効果を示す温度及び期間で保管する種子冷工程、を有し
前記種子冷工程により得られた種子を、播種、育苗、定植、栽培して開花させることを特徴とするユーストマの生産方法。